(57)【要約】      （修正有）【課題】背板部の強度が高く、機器取付板や取付金具等を使用する必要がない上、美観にも優れたキャビネットを提供する。【解決手段】背板部２の左右両側縁に、折り曲げ加工によって背板部２よりも更に後方へ突出する凸条部Ａを設けるとともに、左板部３及び右板部４の上下縁を凸条部Ａよりも更に上方又は下方へ延設して第一フランジ部Ｂとし、当該第一フランジ部Ｂを凸条部Ａ側へ折り曲げて凸条部Ａに溶接する一方、背板部２の上下縁を凸条部Ａよりも更に上方又は下方へ突出させて第二フランジ部Ｃとし、当該第二フランジ部Ｃを後方へ折り曲げて左右の凸条部Ａ、Ａ間を閉塞した状態で凸条部Ａ、Ａに溶接した。【選択図】図４
2008263139.tif 000002
【特許請求の範囲】
【請求項１】
背板部の左右両側を前方へ折り曲げて夫々左板部又は右板部としたキャビネット本体と、当該キャビネット本体の上面を閉塞する天板と、前記キャビネット本体の下面を閉塞する底板と、前記キャビネット本体の前面開口を開閉するための前扉とからなり、少なくとも前記背板部の内面側に電気機器を搭載可能なキャビネットであって、
前記背板部の左右両側縁に、折り曲げ加工によって前記背板部よりも更に後方へ突出する凸条部を設けるとともに、
前記左板部及び前記右板部の上下縁を前記凸条部よりも更に上方又は下方へ延設して第一フランジ部とし、当該第一フランジ部を前記凸条部側へ折り曲げて前記凸条部に固着する一方、
前記背板部の上下縁を前記凸条部よりも更に上方又は下方へ突出させて第二フランジ部とし、当該第二フランジ部を後方へ折り曲げて左右の凸条部間を閉塞した状態で前記凸条部に固着したことを特徴とするキャビネット。
【請求項２】
第一フランジ部及び／又は第二フランジ部に、底板又は天板を固定するための固着部を設けたことを特徴とする請求項１に記載のキャビネット。
【請求項３】
右板部に右側開口を開設し、当該右側開口の周縁部に機器取付孔を設ける一方、前記右側開口を開閉するための右扉を、前扉とは独立に開閉動作可能に設けたことを特徴とする請求項１又は２に記載のキャビネット。
【発明の詳細な説明】
【技術分野】
【０００１】
本発明は、内部に電気機器を搭載するためのキャビネットに関するものである。
【背景技術】
【０００２】
従来、各種電気機器を内部に搭載可能なキャビネットとしては、たとえば特許文献１に開示されているようなものが知られている。ここで、従来のキャビネットについて、図５をもとに説明する。図５は、従来のキャビネットの背板５１を示しており、（ａ）は、電気機器６０が搭載された状態を示す斜視説明図であり、（ｂ）は、当該背板５１の断面説明図である。
キャビネットは、背板５１、一対の側板、天板、底板、及び前扉を組み付けてなるもので、背板５１へは、ネジ５２、５２により電力量計等の電気機器６０を取付可能となっている。当該背板５１は、金属製の板状部材であって、電気機器６０を取り付けた際に撓んだり変形したりしないように、上下縁が前方へ、左右側縁が後方へ夫々折り曲げられて、強度の向上が図られている。
【０００３】
【特許文献１】特開平１０−１４５９１４号公報
【発明の開示】
【発明が解決しようとする課題】
【０００４】
しかしながら、上記従来の背板５１では、取り付ける電気機器の数や種類、大きさによっては強度不足となり、専用の機器取付板や取付金具を用いなければならないこともあった。したがって、電気機器の取付作業が煩雑となるし、全体重量が増すことによりキャビネットの設置作業が困難になるといった問題もある。また、背板５１の強度を向上させるべく、背板５１の厚みを厚くしたとしても、全体重量が増すといった問題が生じる。さらに、背板５１の後方空間が上下方向へ開放されているため、キャビネットの設置後にも背板５１から後方へ突出したネジ５２、５２が使用者に見えてしまい（前扉を開放した際等）、美観に劣るといった問題もある。
【０００５】
そこで、本発明は、上記問題に鑑みなされたものであって、背板部の強度が高く、機器取付板や取付金具等を使用する必要がない上、美観にも優れたキャビネットを提供しようとするものである。
【課題を解決するための手段】
【０００６】
上記目的を達成するために、本発明のうち請求項１に記載の発明は、背板部の左右両側を前方へ折り曲げて夫々左板部又は右板部としたキャビネット本体と、当該キャビネット本体の上面を閉塞する天板と、前記キャビネット本体の下面を閉塞する底板と、前記キャビネット本体の前面開口を開閉するための前扉とからなり、少なくとも前記背板部の内面側に電気機器を搭載可能なキャビネットであって、前記背板部の左右両側縁に、折り曲げ加工によって前記背板部よりも更に後方へ突出する凸条部を設けるとともに、前記左板部及び前記右板部の上下縁を前記凸条部よりも更に上方又は下方へ延設して第一フランジ部とし、当該第一フランジ部を前記凸条部側へ折り曲げて前記凸条部に固着する一方、前記背板部の上下縁を前記凸条部よりも更に上方又は下方へ突出させて第二フランジ部とし、当該第二フランジ部を後方へ折り曲げて左右の凸条部間を閉塞した状態で前記凸条部に固着したことを特徴とする。
請求項２に記載の発明は、請求項１の記載の発明において、第一フランジ部及び／又は第二フランジ部に、底板又は天板を固定するための固着部を設けたことを特徴とする。
請求項３に記載の発明は、請求項１又は２に記載の発明において、右板部に右側開口を開設し、当該右側開口の周縁部に機器取付孔を設ける一方、前記右側開口を開閉するための右扉を、前扉とは独立に開閉動作可能に設けたことを特徴とする。
【発明の効果】
【０００７】
本発明によれば、背板部の左右両側縁に、折り曲げ加工によって背板部よりも更に後方へ突出する凸条部を設けるとともに、左板部及び右板部の上下縁を凸条部よりも更に上方又は下方へ延設して第一フランジ部とし、当該第一フランジ部を凸条部側へ折り曲げて凸条部に固着する一方、背板部の上下縁を凸条部よりも更に上方又は下方へ突出させて第二フランジ部とし、当該第二フランジ部を後方へ折り曲げて左右の凸条部間を閉塞した状態で凸条部に固着している。したがって、背板部の強度を向上させることができ、各種電気機器を直接ネジ止め等により当該背板部へ取り付けたとしても、背板部が変形したりしない。また、専用の機器取付板や取付金具等を用いる必要がないため、電気機器の取付作業を容易に行うことができるし、キャビネット全体の重量を軽量化することができ、キャビネットの設置作業にかかる手間等も削減することができる。
さらに、キャビネット本体を上述の如く構成しているため、機器取付用ネジが突出する背板部後方の空間は、左右一対の凸条部と上下の第二フランジ部とによりその上下左右が囲われることになる。したがって、キャビネットの壁面等への設置状態において、機器取付用ネジを使用者等から隠すことができ、キャビネットの美観を向上することができる。
加えて、折り曲げ加工により左板部及び右板部を形成しているため、背板へ左板と右板とをそれぞれ組み付けるような従来のキャビネットと比較すると、キャビネットの組み付け作業の簡素化をも図ることができるし、部品点数を削減することができるため部品の管理等も容易となる。
また、請求項２に記載の発明によれば、第一フランジ部及び／又は第二フランジ部に、底板又は天板を固定するための固着部を設けているため、強度の向上を図るための第一フランジ部及び／又は第二フランジ部に、天板又は底板の固着部としての機能をもたせた合理的な構成とすることができる。
さらに、請求項３に記載の発明によれば、右板部に右側開口を開設し、当該右側開口の周縁部に機器取付孔を設ける一方、前記右側開口を開閉するための右扉を、前扉とは独立に開閉動作可能に設けいる。したがって、操作したい電気機器のキャビネット内部における取付位置や、キャビネットの設置環境に応じて、右扉のみを開閉することで対応することができ、使い勝手が良い。また、機器取付孔を利用してラックマウントタイプの電気機器を設置することもできるため、そのようなラックマウントタイプの電気機器を設置する際に、専用の柱部材等を設置する必要がなく、部材点数の削減、キャビネット内の設置スペースの有効利用等を図ることができる。
【発明を実施するための最良の形態】
【０００８】
以下、本発明の一実施形態となるキャビネットについて、図面をもとに説明する。
【０００９】
図１（ａ）は、キャビネット１を正面側から示した説明図であり、図１（ｂ）は、キャビネット１を底面側から示した説明図である。図２は、キャビネット本体１ａを正面側から示した説明図である。図３（ａ）は、キャビネット本体１ａを右側方から示した説明図であり、図３（ｂ）は、キャビネット本体１ａを底面側から示した説明図である。また、図４は、キャビネット本体１ａに折り曲げ加工を施す様子を示した部分説明図である。
キャビネット１は、背板部２、左板部３、及び右板部４を一体的に有するキャビネット本体１ａと、当該キャビネット本体１ａに組み付けられ、キャビネット本体１ａの上面又は下面を閉塞する天板及び底板５と、キャビネット本体１ａの右板部４に開設された右側開口４ａを開閉する右扉６と、キャビネット本体１ａの前面開口を開閉する前扉７とからなる。
【００１０】
キャビネット本体１ａは、金属製の板状部材に折り曲げ加工を施すことにより、背板部２、左板部３、及び右板部４を成形してなるもので、平板状の背板部２や左板部３の内面は、電力量計等の各種電気機器を直接ネジ止め等により取付可能な機器取付面となっている。背板部２の左右両側縁には、後方へ突出する凸条部Ａが折り曲げ加工により形成された後、前方へ折り返されており、当該折り返し部が左板部３及び右板部４となっている。また、左板部３及び右板部４の上下縁は、凸条部Ａよりも上方又は下方へ延設されて第一フランジ部Ｂが形成されており、第一フランジ部Ｂには、天板又は底板５をネジ止めするためのネジ孔（固着部）８、８が設けられている。そして、該第一フランジ部Ｂは、凸条部Ａ側（すなわち、キャビネット本体１ａ内側）へ折り曲げられ、凸条部Ａの上縁又は下縁に溶接されている。尚、凸条部Ａは、ネジ（電気機器をネジ止めするためのネジ）の背板部２後方への突出量よりも更に後方へ突出するように形成されており、キャビネット本体１ａを壁面等に設置する際、ネジと壁面とが接触したりしないようになっている。また、第一フランジ部Ｂの上方又は下方への延設量は、凸条部Ａの左右幅と略同程度となっている。
【００１１】
さらに、背板部２の上下縁も、左板部３及び右板部４と同様、凸条部Ａよりも上方又は下方へ延設されて第二フランジ部Ｃが形成されている。第二フランジ部Ｃの上下方向への延設量は、凸条部Ａの後方への突出量と略同程度となっており、該第二フランジ部Ｃは、後方へ折り曲げられ、左右の凸条部Ａ、Ａ間を閉塞した状態で凸条部Ａ、Ａの上縁又は下縁に溶接されている。したがって、背板部２の後方空間は、左右の凸条部Ａ、Ａ、及び上下の第二フランジ部Ｃ、Ｃによりその上下左右を囲まれることになり、壁面等への設置状態において、背板部２から後方へ突出するネジを使用者等の視界から遮蔽可能となっている。尚、第二フランジ部Ｃの左右方向略中央にも、天板又は底板５をネジ止めするためのネジ孔（固着部）８が設けられている。
加えて、右板部４には、その略全面にわたって右側開口４ａが開設されており（つまり、右板部４は枠状体となっている）、当該右側開口４ａを介しても、キャビネット１内の電気機器の操作やキャビネット１内への電気機器の設置等が可能となっている。また、右板部４の上部及び下部のフランジ部には、電気機器を取り付けるための取付用ネジ孔（機器取付孔）９、９・・が設けられており、当該取付用ネジ孔９、９・・を利用することにより、ラックマウントタイプの電気機器を設置することができる。
【００１２】
一方、天板及び底板５も金属製の板状部材であり、上記キャビネット本体１ａの第一フランジ部Ａ、Ａへネジ止め等により固着される。また、右側開口４ａを開閉するための右扉６が、キャビネット本体１ａの右側面後縁を軸として片開き可能に軸着されているとともに、キャビネット本体１ａの前面開口を開閉する前扉７が、キャビネット本体１ａの前面左縁を軸として片開き可能に軸着されている。尚、右扉６と前扉７とは夫々独立して片開き動作可能に取り付けられている。
【００１３】
以上のように構成されたキャビネット１によれば、背板部２の左右両側に折り曲げ加工により後方へ突出する凸条部Ａ、Ａを形成するとともに、該凸条部Ａ、Ａから前方へ延設されてなる左板部３及び右板部４の上下縁に、凸条部Ａ、Ａよりも更に上方又は下方へ突出する第一フランジ部Ｂ、Ｂを設け、該第一フランジ部Ｂ、Ｂを凸条部Ａ側へ折り曲げて、凸条部Ａの上縁又は下縁に溶接している。また、背板部２の上下縁にも第二フランジ部Ｃ、Ｃを延設し、該第二フランジ部Ｃを後方へ折り曲げて凸条部Ａの上縁又は下縁に溶接している。したがって、背板部２の強度を向上させることができ、各種電気機器を直接ネジ止め等により当該背板部２へ取り付けたとしても、背板部２が変形したりしない。また、専用の機器取付板や取付金具等を用いる必要がないため、電気機器の取付作業を容易に行うことができるし、キャビネット１全体の重量を軽量化することができ、キャビネット１の設置作業にかかる手間等も削減することができる。
【００１４】
また、キャビネット本体１ａを上述の如く構成しているため、機器取付用ネジが突出する背板部２後方の空間は、一対の凸条部Ａ、Ａと上下の第二フランジ部Ｃ、Ｃとによりその上下左右が囲われることになる。したがって、キャビネット１の壁面等への設置状態において、機器取付用ネジを使用者等から隠すことができ、キャビネット１の美観を向上することができる。
さらに、折り曲げ加工により左板部３及び右板部４を形成している（すなわち、左板部３及び右板部４と背板部２とが一体的に形成されている）ため、背板へ左板と右板とをそれぞれ組み付けるような従来のキャビネットと比較すると、キャビネットの組み付け作業の簡素化をも図ることができるし、部品点数を削減することができるため部品の管理等も容易となる。
【００１５】
さらにまた、第一フランジ部Ｂ及び第二フランジ部Ｃに、天板又は底板５を取り付けるためのネジ孔８、８・・を設けているため、強度の向上を図るための第一フランジ部Ｂ及び第二フランジ部Ｃに、天板又は底板６の固着部としての機能をもたせた合理的な構成とすることができる。
加えて、前扉７とは独立して片開き動作可能な右扉６を備えているため、操作したい電気機器のキャビネット１内部における取付位置や、キャビネット１の設置環境（前扉７の開放が困難である場合等）に応じて、右扉６のみを開閉することで対応することができ、使い勝手が良い。また、右板部４の上部及び下部のフランジ部に、電気機器を取り付けるための取付用ネジ孔９、９・・を設けており、当該取付用ネジ孔９、９・・を利用して、ラックマウントタイプの電気機器を設置可能としている。したがって、ラックマウントタイプの電気機器を設置する際には、専用の柱部材等を設置する必要がなく、部材点数の削減、キャビネット１内の設置スペースの有効利用等を図ることができる。
【００１６】
なお、本発明のキャビネットに係る構成は、上記実施の形態に記載した態様に何ら限定されるものではなく、キャビネット本体や扉の有無等に係る構成を、本発明の趣旨を逸脱しない範囲で必要に応じて適宜変更することができる。
【００１７】
たとえば、上記実施形態に記載のキャビネットでは、右板部に右側開口を開設し、右扉により右側開口を開閉するような構成としているが、右板部を右側開口のないタイプの板状部とし、右扉も設けないように構成してもよい。
また、天板や底板を、ネジ止めではなく、第一フランジ部Ｂ、Ｂや第二フランジ部Ｃへの溶接によりキャビネット本体と固着するように構成することも可能である。
【図面の簡単な説明】
【００１８】
【図１】（ａ）は、キャビネットを正面側から示した説明図であり、（ｂ）は、キャビネットを底面側から示した説明図である。
【図２】キャビネット本体を正面側から示した説明図である。
【図３】（ａ）は、キャビネット本体を右側方から示した説明図であり、（ｂ）は、キャビネット本体を底面側から示した説明図である。
【図４】キャビネット本体に折り曲げ加工を施す様子を示した部分説明図である。
【図５】従来のキャビネットの背板を示しており、（ａ）は、電気機器が搭載された状態を示す斜視説明図、（ｂ）は、当該背板の断面説明図である。
【符号の説明】
【００１９】
１・・キャビネット、１ａ・・キャビネット本体、２・・背板部、３・・左板部、４・・右板部、４ａ・・右側開口、５・・底板、６・・右扉、７・・前扉、８・・ネジ孔、９・・取付用ネジ孔、Ａ・・凸条部、Ｂ・・第一フランジ部、Ｃ・・第二フランジ部。
【図１】
2008263139.tif 000003
【図２】
2008263139.tif 000004
【図３】
2008263139.tif 000005
【図４】
2008263139.tif 000006
【図５】
2008263139.tif 000007